(57)【要約】【課題】  組込式加熱調理器において、システムキッチンの前面開口穴に臨ませた操作部ケースとサイドピースの間に形成される分割線を見えなくし、美観を損ねるのを防止するとともに、分割線の隙間から騒音や送風音が漏れるのを防止する。【解決手段】  本体２の一側に被加熱体を焼くロースター部４を備え、その横の前面内に開閉式の操作部ケース５を備え、本体２をシステムキッチン１の天板開口穴１ａの中に上面から挿入して設置し、設置後はロースター部４の前面及び操作部ケース５をシステムキッチン１の前面開口穴１ｂに臨ませ、本体１の前面から操作できるようにした加熱調理器において、前記操作部ケース５は、その操作面を覆う化粧カバー８を備え、化粧カバー８は、操作部ケースよりも横長形状としてロースター部４とは反対側のシステムキッチン１の側壁まで伸ばした。【選択図】  図２
2007064585.tif 000002
【特許請求の範囲】
【請求項１】
加熱調理器が搭載される調理器台の天板開口穴の中に上面から挿入可能な大きさの本体の上面にプレートを備え、プレートの下方に加熱部を備え、この加熱部の下方で本体の一側に被加熱体を焼くロースター部を備え、ロースター部とは反対側の前面に開閉式の操作部ケースを備え、前記ロースター部の前面及び前記操作部ケースがシステムキッチンの前面開口穴から開放し、本体の前面から操作できるようにした加熱調理器において、前記操作部ケースは、その操作面を覆う化粧カバーを備え、該化粧カバーは操作部ケースよりも横に長い形状を備え、その形状は前記ロースター部とは反対側に伸びている加熱調理器。
【請求項２】
請求項１記載の加熱調理器において、前記操作部ケースの化粧カバーは、システムキッチンの前面開口穴を覆う形状である加熱調理器。
【請求項３】
請求項１記載の加熱調理器において、前記操作部ケースの操作面を覆う化粧カバーは、操作部ケースに着脱可能な取付け部を備えている加熱調理器。
【請求項４】
請求項３記載の加熱調理器において、前記操作部ケースの左右側面にフランジを設け、このフランジと対向する前記化粧カバーに受け部を設け、該受け部は前記操作部ケースの上部からスライドさせ前記フランジと嵌合する加熱調理器。
【請求項５】
請求項１記載の加熱調理器において、前記操作部ケースと前記化粧カバーとが複数個の係合部を有し、両者の係合部により前記操作部ケースと前記化粧カバーとが嵌合する加熱調理器。
【発明の詳細な説明】
【技術分野】
【０００１】
本発明は、本体内に加熱コイル等の複数の加熱部を備え、この加熱部の下方で本体の左右いずれか一側にロースター部を備え、該ロースター部とは反対側の前面内に加熱部の操作を行なう操作部ケースを備えた組込式加熱調理器に関する。
【背景技術】
【０００２】
従来の組み込み式加熱調理器を図６及び図７に従って説明する。
【０００３】
図６は従来の組込式加熱調理器の組込要領図であり、図７は従来の組込式加熱調理器の外観図を示す。
【０００４】
図において、加熱調理器が組み込まれる調理器台、例えば図６に示すシステムキッチン１は、上面に四角形の天板開口穴１ａが設けられ、前面に長方形の前面開口穴１ｂが設けられている。
【０００５】
加熱調理器の本体２は、システムキッチン１の天板開口穴１ａの中に上面から挿入され、システムキッチン１の天板部にその外周縁部２ａが吊り下がる様に設置されており、設置後は前面の左右に配置した後記するロースター部４の前面及び操作部ケース５がシステムキッチン１の前面開口穴１ｂより開放されて臨み、本体１の前面から操作できるようになっている。
【０００６】
耐熱ガラス等からなるプレート３は、本体２の上面に配置され、調理用の容器（図示せず）を載置する。
【０００７】
加熱コイル等よりなる加熱部６は、本体２内の上部左右に配置され、プレート３によって覆われている。
【０００８】
ロースター部４は、加熱部６の下方で本体２の左側（右側でもよい）に配置され、内部にロースターヒータ（図示せず）や本体２の前面から出し入れされる受皿４ａ、受皿４ａと略一体のドア４ｂ、ドア４ｂに取り付けられた取手４ｃ、受皿４ａ内に載置される焼網（図示せず）等で構成されており、焼網の上に魚、肉、その他の被調理物等の被加熱体を載せて焼くものである。
【０００９】
下部を支点として開閉自在の操作部ケース５は、ロースター部４の横で本体２の右側（左側でもよい）前面に配置され、電源の入り切りや加熱の設定等を行なうものである。
【００１０】
サイドピース１０は、本体２の設置後に本体２の前面の左右とシステムキッチン１の前面開口部の左右に形成される隙間を塞ぐものである。
【００１１】
上記従来の構成よりなる加熱調理器は、以下のような手順でシステムキッチン１に組み込まれる。
（１）本体２をシステムキッチン１の天板開口穴１ａの中に挿入する。
【００１２】
ここで、システムキッチン１の天板開口穴１ａの幅Ｈ１は、ほとんどのシステムキッチンメーカーにおいて、約５６０ｍｍ、前面開口穴１ｂの幅Ｈ２は、約６００ｍｍに設定されており、天板開口穴１ａの幅Ｈ１より前面開口穴１ｂの幅Ｈ２の方が広くなっている。そのため、本体２はシステムキッチン１に組み込んだ後、
（２）本体２の前面の左右とシステムキッチン１の前面開口部１ｂの左右に形成される隙間をサイドピース１０を用いて塞ぎ、その隙間を埋める。
【００１３】
そして、最後に、
（３）ロースター部４の受皿４ａ、受皿４ａと一体のドア４ｂ、取手４ｃ、受皿４ａ内に載置される焼網（図示せず）を本体２内に挿入する。
【００１４】
これにより、加熱調理器の本体２は、システムキッチン１上に一体的組み込まれ、上から見ると、見た目もスッキリとした外観となるが、正面から見た場合、ロースター部４とサイドピース１０及び操作部ケース５とサイドピース１０の間に分割線１０ａが形成され、この分割線１０ａが後記する問題点を有していた。
【００１５】
上記のような構成の従来例として、特許文献１、および特許文献２等に開示された例がある。
【００１６】
【特許文献１】特開平１１−０８７０３４号公報
【特許文献２】特開２００３−３２９２５２号公報
【発明の開示】
【発明が解決しようとする課題】
【００１７】
前述したように、従来の組込式加熱調理器は、本体２の前面の左右とシステムキッチン１の前面開口部１ｂの左右に形成される隙間をサイドピース１０で埋める構成となっているため、正面から見た場合、ロースター部４とサイドピース１０及び操作部ケース５とサイドピース１０の間に、システムキッチン１との隙間である分割線１０ａが生じる。
【００１８】
本体２内の加熱部６や、この加熱部６を冷却する送風機（図示せず）等から発生する騒音や送風音が前記した分割線１０ａの隙間から本体１の前面に漏れ出し、騒音の増大につながって使用者に不安感や不快感を感じさせる等の不具合があった。
【００１９】
また、分割線１０ａはこのキッチントータルの美観を損ねるものとなっていた。
【００２０】
このため、最近の加熱調理器においては、図２に示すように、ロースター部４のドア４ｂの左側を伸ばし、左側のサイドピース１０の厚みを薄くしてロースター部４のドア４ｂで見えなくする製品も商品化されているが、右側の操作部ケース５側は、従来と同様な構成となっているため、外観上の仕上がりは不十分となっていた。
【００２１】
本発明は、これらの課題を解決するためになされたものである。
【課題を解決するための手段】
【００２２】
本発明は上述の課題を解決するためになされたもので、請求項１では、加熱調理器が搭載される調理器台の天板開口穴の中に上面から挿入可能な大きさの本体の上面にプレートを備え、プレートの下方に加熱部を備え、この加熱部の下方で本体の一側に被加熱体を焼くロースター部を備え、ロースター部とは反対側の前面に開閉式の操作部ケースを備え、前記ロースター部の前面及び前記操作部ケースがシステムキッチンの前面開口穴から開放し、本体の前面から操作できるようにした加熱調理器において、前記操作部ケースは、その操作面を覆う化粧カバーを備え、該化粧カバーは操作部ケースよりも横に長い形状を備え、その形状は前記ロースター部とは反対側に伸びているものである。
【００２３】
また、請求項２では、上述の構成に加えて、前記操作部ケースの化粧カバーは、システムキッチンの前面開口穴を覆う形状であるものである。
【００２４】
また、請求項３では、上述の構成に加えて、前記操作部ケースの操作面を覆う化粧カバーは、操作部ケースに着脱可能な取付け部を備えるものである。
【００２５】
さらに、請求項４では、請求項３の構成に加えて、前記操作部ケースの左右側面にフランジを設け、このフランジと対向する前記化粧カバーに受け部を設け、該受け部は前記操作部ケースの上部からスライドさせ前記フランジと嵌合するものである。
【００２６】
また、請求項５では、上述の請求項１の構成に加えて、前記操作部ケースと前記化粧カバーとが複数個の係合部を有し、両者の係合部により前記操作部ケースと前記化粧カバーとが嵌合するものである。
【発明の効果】
【００２７】
上記本発明によれば、システムキッチンのサイドピースと加熱調理器本体との隙間がシステムキッチンの前面に開口しなくなるため、機器の外部に漏れる音を抑えることができる。
【発明を実施するための最良の形態】
【００２８】
以下、本発明の一実施例を図１、図２、図３、図４及び図５に従って説明する。
【００２９】
図１は本発明の加熱調理器の組込要領図、図２は本発明の加熱調理器の外観図である。図３は本発明の加熱調理器の操作部ケースの側面図、図４は本発明の操作部ケースと化粧カバーの構成を示す第一の実施例の取付け詳細図、図５は本発明の操作部ケースと化粧カバーの構成を示す第二の実施例の取付け詳細図である。
【００３０】
図１、図２、及び図３において、１は加熱調理器を組み込むためのシステムキッチンで、上面に四角形の天板開口穴１ａが設けられ、前面に長方形の前面開口穴１ｂが設けられている。
【００３１】
加熱調理器の本体２は、システムキッチン１の天板開口穴１ａの中に上面から挿入され、システムキッチン１の天面部にその外周縁部２ａが吊り下がる様に設置されており、また、この設置によって前面の左右に配置した後記するロースター部４及び操作部ケース５がシステムキッチン１の前面開口穴１ｂに臨み、本体１の前面から操作できるようになっている。ここではシステムキッチンで説明するが、天面部及び前面部に必要な開口部を備えた調理器台でもよい。
【００３２】
耐熱ガラス等からなるプレート３は、本体２の上面に配置され、調理用の容器（図示せず）を載置する。
【００３３】
加熱コイル等よりなる加熱部６は、本体２内の上部左右に配置され、プレート３によって覆われている。
【００３４】
ロースター部４は、加熱部６の下方で本体２の左側（右側でもよい）に配置され、内部にロースターヒータ（図示せず）や本体２の前面から出し入れされる受皿４ａ、該受皿４ａと一体のドア４ｂ、このドア４ｂに取り付けられた取手４ｃ、受皿４ａ内に載置される焼網（図示せず）等で構成されており、焼網の上に魚、肉、その他の被調理物等の被加熱体を載せて焼くものである。
【００３５】
開閉式の操作部ケース５は、電源の入り切りや加熱の設定等を行なうものであり、ロースター部４の横で本体２の右側（左側でもよい）前面に配置され、図３に示すように左右の下部とそれに対向した本体２の側部にシャフト９を通し、この部分を基点に開閉する。
【００３６】
サイドピース７は、本体２の設置後に本体２の前面の左右とシステムキッチン１の前面開口部１ｂの左右に形成される隙間を塞ぐものであり、図６及び図７に示す従来例のサイドピース１０よりも板厚が薄く形成されている。
【００３７】
化粧カバー８は、本体２をシステムキッチン１に設置した後、操作部ケース５の前面に一体的に取り付けるものであり、該操作部ケース５の前面を覆うカバー部８ａと、サイドピース７を覆ってシステムキッチン１の右側の壁まで伸ばした延長部８ｂとで形成された横長形状となっている。
【００３８】
図４はその一実施例の詳細を示すもので、操作部ケース５の左右側面にはフランジ５ａを設けてあり、また、このフランジ５ａと対向した化粧カバー８のロースター部４側の側面及びカバー部８ａと延長部８ｂとの境界部にコ字状の受け部８ｃを設けてあり、この受け部８ｃを操作部ケース５の上部から左右のフランジ部５ａに沿ってスライドさせて嵌合し、化粧カバー８と操作部ケース５を一体化している。
【００３９】
図５は化粧カバー８と操作部ケース５を一体化する第二の実施例を示すもので、操作部ケース５の正面の適宜位置に凸状または凹状の嵌合部５ｂを設け、この嵌合部５ｂと対向した化粧カバー８の裏面に凹状または凸状の嵌合部８ｄを設け、両者の嵌合部５ｂ、８ｄを嵌合して両者を一体化するものである。
【００４０】
以上の構成において、加熱調理器は、以下のような手順でシステムキッチン１に組み込まれる。
（１）本体２をシステムキッチン１の天板開口穴１ａの中に挿入する。
（２）システムキッチン１の天板開口穴１ａの開口幅Ｈ１に対して正面開口穴１ｂの開口幅Ｈ２が広いため、本体２の前面の左右と正面開口穴１ｂとの隙間を板厚の薄いサイドピース７を用いて塞ぎ、その隙間を埋める。このとき、サイドピース７は板厚の薄い分だけ本体２の前面より内側に入る。
（３）ロースター部４側は、図６及び図７に示した従来例の加熱調理器と同様にロースター部４のドア４ｂの左側を正面開口穴１ｂ左側の側面まで伸ばし、その延びた面で左側のサイドピース７を隠すようにする。
（４）化粧カバー８の受け部８ｃを操作部ケース５の上部から左右のフランジ部５ａに沿ってスライドさせて嵌合し、両者を一体化する。
【００４１】
その設置した状態を図３の側面図に示す。図の実線は操作部ケース５が開いた状態を示し、破線は閉じた状態を示す。この際、システムキッチン１の右側壁面まで伸ばした化粧カバー８の延長部８ｂは、右側のサイドピース７を隠すように取り付けられる。
【００４２】
これによって、サイドピース７が化粧カバー８の延長部８ｂによって隠れて本体２の前面に見えてこないため、ロースター部４のドア４と化粧カバー８が面一となり、前面から見た場合、スッキリとした外観に仕上げることが可能となる。
【００４３】
また、従来のように分割線による隙間がないため、本体２の加熱部６やロースター部４を使用して調理する際に、加熱部６から発生する騒音や加熱部６及びロースター部４の制御部を冷却する送風機（図示せず）等から発生する送風音が分割線の隙間を通して本体２の前面に漏れ出すことがなくなる。
【００４４】
さらに、図４の実施例によれば、化粧カバー８と操作部ケース５は、操作部ケースの左右フランジ部５ａに被さるように嵌合しているため、強度も充分備わるものである。
【図面の簡単な説明】
【００４５】
【図１】本発明の加熱調理器の組込要領図である。
【図２】本発明の加熱調理器を示す外観図である。
【図３】本発明の加熱調理器の操作部ケースの側面図である。
【図４】本発明の加熱調理器の操作部ケースの一実施例の取付詳細図である。
【図５】本発明の加熱調理器の操作部ケースの他の実施例の取付詳細図である。
【図６】従来例の加熱調理器の組込要領図である。
【図７】従来例の加熱調理器を示す外観図である。
【符号の説明】
【００４６】
１    システムキッチン
１ａ  天板開口穴
１ｂ  前面開口穴
２  本体
３  プレート
４  ロースター部
５  操作部ケース
５ａ  フランジ部
６  加熱部
７  サイドピース
８  化粧カバー
８ａ  カバー部
８ｂ  延長部
８ｃ  受け部
【図１】
2007064585.tif 000003
【図２】
2007064585.tif 000004
【図３】
2007064585.tif 000005
【図４】
2007064585.tif 000006
【図５】
2007064585.tif 000007
【図６】
2007064585.tif 000008
【図７】
2007064585.tif 000009